(57)【要約】【課題】下皿に貯留されている遊技球を容易に確実に取り出すことができるようにしたパチンコ機を提供することである。【解決手段】中枠３に取付けられる下皿基板２１の前面に下皿２２を設け、その下皿２２の外表面を覆うカバー２６に下皿２２の周壁２４の上面を覆う上面カバー部２８ａを設ける。上面カバー部２８ａに下皿２２の貯留部２５上に張り出す延出部２５を設け、貯留部２５内の遊技球を掴んで取り出す際に、その延出部２５で遊技球を堰止めして、遊技球の掴み取りの容易化を図る。【選択図】図３
2011224305.tif 000002
【特許請求の範囲】
【請求項１】
ベースパネルの前面から前側に張り出す底板の外周に周壁が設けられ、その周壁と前記底壁とで遊技球の貯留部が形成された受皿と、その受皿の外表面を覆うカバーを備えたパチンコ機において、
前記カバーに、前記周壁の上面を覆う上面カバー部を設け、その上面カバー部に前記周壁の内面から貯留部の上側方に張り出す延出部を設けたことを特徴とするパチンコ機。
【発明の詳細な説明】
【技術分野】
【０００１】
この発明は、遊技球の貯留用の受皿を有するパチンコ機に関する。
【背景技術】
【０００２】
操作ハンドルのレバー操作によって遊技球を遊技領域内に発射させるようにしたパチンコ機においては、貸し出された遊技球を貯留する上皿や、その上皿からから抜き取られて下方に流れ落ちる遊技球や上皿からオーバーフローする遊技球等を貯留する下皿が設けられている。
【０００３】
例えば、特許文献１には、外枠に対して開閉自在に支持された中枠に上皿ユニットと下皿ユニットを設けたパチンコ機が記載されている。
【０００４】
ここで、上記上皿ユニットにおいては、中枠に開閉自在に支持される開閉パネルの前面に上皿を設け、その上皿の前面および下面を上皿カバー部材で覆うようにしている。一方、下皿ユニットにおいては、内枠の下部に取付けられる取付ベースの前面に下皿を設け、その下皿の前面、側面および下面を下皿カバー部材で覆うようにしている。
【先行技術文献】
【特許文献】
【０００５】
【特許文献１】特開２００５−１５２４７７号公報
【発明の概要】
【発明が解決しようとする課題】
【０００６】
ところで、特許文献１に記載されたパチンコ機においては、上皿を覆う上皿カバー部材や下皿を覆う下皿カバー部材を有しているものの、これらのカバー部材は上皿や下皿の保護を図り、装飾性を高めるためのものだけであって、貯留された遊技球の取り出しについて何も考慮されていない。
【０００７】
ここで、上皿や下皿に貯留されている遊技球の取り出しに際しては、貯留部に挿し入れられた指先により遊技球を貯留部の周壁内面側に手繰り寄せて掴み取ることが行なわれるが、この際、特許文献１に記載の上皿や下皿の周壁内面が全面にわたって平坦な滑らかな面であるため、遊技球は周壁の内面に沿ってせり上がりが生じて確実に掴み取ることができず、ときには、周壁の上面を超えてこぼれ落ちることが多くあり、遊技球を容易に確実に取り出すことができないという不都合があった。
【０００８】
パチンコ機においては、受皿が一つとされたものもあり、そのようなパチンコ機においても、上記と同様に、遊技球を容易に確実に取り出すことができないという不都合があった。
【０００９】
この発明の課題は、上皿や下皿等の受皿内に貯留されている遊技球を容易に確実に取り出すことができるようにしたパチンコ機を提供することである。
【課題を解決するための手段】
【００１０】
上記の課題を解決するために、この発明においては、ベースパネルの前面から前側に張り出す底板の外周に周壁が設けられ、その周壁と前記底壁とで遊技球の貯留部が形成された受皿と、その受皿の外表面を覆うカバーを備えたパチンコ機において、前記カバーに、前記周壁の上面を覆う上面カバー部を設け、その上面カバー部に前記周壁の内面から貯留部の上側方に張り出す延出部を設けた構成を採用したのである。
【発明の効果】
【００１１】
この発明においては、上記のように、受皿の外表面を覆うカバーに、周壁の上面を覆う上面カバー部を設け、その上面カバー部に周壁の内面から貯留部の上側方に張り出す延出部を設けたことにより、貯留部に挿し入れられた指先で遊技球を掴んで取り出す際、周壁の内面に沿って上方に引き上げられる遊技球は延出部で堰き止められるため、貯留部内で遊技球を確実に容易に掴み取ることができ、遊技球を容易に確実に取り出すことができる。
【図面の簡単な説明】
【００１２】
【図１】この発明に係るパチンコ機の実施の形態を示す正面図
【図２】図１に示すパチンコ機の斜視図
【図３】図１のIII−III線に沿った断面図
【図４】下皿の平面図
【発明を実施するための形態】
【００１３】
以下、この発明の実施の形態を図面に基づいて説明する。図１および図２に示すように、パチンコ機は、縦長な矩形状に枠組みされた外枠１を有し、その外枠１の一側上下部に一対のヒンジ２、２が設けられ、そのヒンジ２によって外枠１の前側に配置された中枠３の一側部が開閉自在に支持されている。
【００１４】
中枠３の前側には、前面枠４が設けられている。前面枠４は、中枠３に支持された図示省略に遊技盤の遊技領域を透視することのできる透明板４ａおよびその透明板４ａの前面周囲を覆う化粧縁枠４ｂを有している。この前面枠４は、その一側部が中枠３の一側上下部に設けられたヒンジ５により支持されて開閉自在とされ、閉鎖状態において中枠３の前面を覆うようになっている。
【００１５】
前面枠４の前側下部には、上皿ユニット１０と下皿ユニット２０が上下に設けられている。図３に示すように、上皿ユニット１０は、前面枠４の下部前側に取付けられるベースパネルとしての上皿基板１１と、その上皿基板１１の前面に設けられた受皿としての上皿１２と、その上皿１２の外表面を覆うカバー１６とからなっている
【００１６】
上皿１２は、上皿基板１１の前面から前方に張り出す底板１３の外周に周壁１４を設けた構成とされ、その周壁１４と上記底板１３とで遊技球を貯留する貯留部１５が形成されている。
【００１７】
カバー１６は、内カバー１７と外カバー１８の２重構造からなり、その内カバー１７は着色合成樹脂の成形品とされ、一方、外カバー１８は透明な合成樹脂の成形品とされている。
【００１８】
外カバー１８は、上皿１２の周壁１４の上面を覆う上面カバー部１８ａを有し、その上面カバー部１８ａには、周壁１４の上面から貯留部１５の上側方に張り出す延出部１８ｂが形成されている。
【００１９】
図３および図４に示すように、下皿ユニット２０は、中枠３の前面下部に取付けられるベースパネルとしての下皿基板２１と、その下皿基板２１の前面に設けられた受皿としての下皿２２と、その下皿２２の外表面を覆うカバー２６とからなっている
【００２０】
下皿２２は、下皿基板２１の前面から前方に張り出す底板２３の外周に周壁２４を設け、その周壁２４と上記底板２３とで遊技球を貯留する貯留部２５を形成した構成とされている。
【００２１】
カバー２６は、内カバー２７と外カバー２８の２重構造からなり、その内カバー２７は着色合成樹脂の成形品とされ、一方、外カバー２８は透明な合成樹脂の成形品とされている。
【００２２】
外カバー２８は、下皿２２の周壁２４の上面を覆う上面カバー部２８ａを有し、その上面カバー部２８ａには、周壁２４の上面から貯留部２５の上側方に張り出す延出部２８ｂが形成されている。
【００２３】
図１および図２に示すように、下皿ユニット２０の右側部には発射ハンドル３０が取付けられ、その発射ハンドル３０に設けられた発射レバー３１を回動操作することにより、上皿１２に貯留されている遊技球が図示省略した球送り機構を介して発射装置に送り込まれた後、中枠３に支持された図示省略の遊技盤の遊技領域内に発射されるようになっている。
【００２４】
ここで、下皿ユニット２０の下皿２２には球貸ボタン３２が設けられ、その球貸ボタン３２を操作すると、上皿１２に遊技球が貸し出される。一方、遊技領域には、入賞口や大当たり時に開放する特別可変入賞口が設けられ、これらの入賞口に遊技球が入賞すると、所定数量の遊技球が上皿１２内に払い出される。
【００２５】
また、下皿２２には、上皿１２から抜き取られる遊技球や、上皿１２をオーバーフローする遊技球、あるいは、打ち損じによって戻されてくる遊技球が貯留される。
【００２６】
上皿１２の貯留部１５に貯留されている遊技球や下皿２２の貯留部２５に貯留されている遊技球は、タバコ等の景品と交換する際等に遊技者によって取り出しが行なわれる。
【００２７】
上皿１２の貯留部１５や下皿２２の貯留部２５に貯留されている遊技球の取り出しは、手先を使って掴み出すのが一般的である。この取り出し操作時、遊技球は上皿１２の周壁１４の内面や下皿２２の周壁２４の内面に沿って引き上げられることになる。このとき、上記周壁１４、２４の内面が滑らか平坦面であると、掴み取ることが困難となり、取り出しに手間がかかり、ときには、落下させる場合がある。
【００２８】
しかし、上皿ユニット１０においては、上皿１２を覆う外カバー１８の上面カバー部１８ａに貯留部１５の上側方に張り出す延出部１８ｂを設けており、また、下皿ユニット２０においては、下皿２２を覆う外カバー２８の上面カバー部２８ａに貯留部２５の上側方に張り出す延出部２８ｂを設けているため、取り出し操作の際に、上皿１２の周壁１４の内面や下皿２２の周壁２４の内面に沿って引き上げられる遊技球は上記延出部１８ｂ、２８ｂで堰き止められることになる。
【００２９】
このため、上皿１２の貯留部１５内や下皿２２の貯留部２５内の遊技球を確実に掴み取ることができ、遊技球を容易に確実に取り出すことができる。
【００３０】
ここで、延出部１８ｂ、２８ｂの延出長さＬが短くなり過ぎると、遊技球を効果的に堰き止めることができず、また、必要以上に長くなり過ぎると、遊技球の取り出しを逆に阻害することになるため、上記延出長さＬは、遊技球の球径をＤとしたとき、Ｄ／２〜２Ｄの範囲とするのが好ましい。
【００３１】
実施の形態で示すように、上皿１２を覆う外カバー１８や下皿２２を覆う外カバー２８を透明な合成樹脂で成形することにより、延出部１８ｂ、２８ｂを介して上皿１２の貯留部１５や下皿２２の貯留部２５内を透視することができるため、貯留されている遊技球を容易に確認することができ、遊技球の取り出し忘れの防止に効果を挙げることができる。
【００３２】
また、実施の形態で示すように、上皿１２を覆うカバー１６を内カバー１７と外カバー１８からなる２重構造とし、また、下皿２２を覆うカバー２６を内カバー２７と外カバー２８からなる２重構造とすることにより、強度的に強いカバー１６、２６を得ることができる。なお、外カバー１８、２８は既存のパチンコ機の上皿カバーや下皿カバーに被せて使用することもできる。
【００３３】
実施の形態では、カバー１６および２６のそれぞれを２重構造としたが、カバー１６、２６は単壁構造のものであってもよい。
【００３４】
また、実施の形態では、上皿１２および下皿２２を有するパチンコ機を例にとって説明したが、パチンコ機はこれに限定されるものではない。例えば、受皿を一つとするパチンコ機であってもよい。受皿を一つとするパチンコ機においても、その受皿を覆うカバーに延出部を設けて、遊技球の取り出しの容易化を図るようにする。
【符号の説明】
【００３５】
１１・・・上皿基板（ベースパネル）、１２・・・上皿（受皿）、１３・・・底板、１６・・・カバー、１８ａ・・・上面カバー部、１８ｂ・・・延出部、２１・・・下皿基板（ベースパネル）、２２・・・下皿（受皿）、２３・・・底板、２６・・・カバー、２８ａ・・・上面カバー部、２８ｂ・・・延出部
【図１】
2011224305.tif 000003
【図２】
2011224305.tif 000004
【図３】
2011224305.tif 000005
【図４】
2011224305.tif 000006